(57)【要約】【課題】  木酢液と同様に消臭効果を有し、かつ環境に悪影響を与える成分の少ない木酢液類似物を、従来の木酢液を利用した消臭剤に比べて簡便な方法で得ること、並びにそのような木酢液類似物を消臭剤として用いた消臭方法を提供すること。【解決手段】  木材又は木製品９をオートクレーブ１内部に搬入し、０．５〜５．０気圧でかつ１００〜１５０℃の高温高圧水蒸気でオートクレーブ１内部を満たし湿熱処理した際に前記木材又は木製品９から排出される木材抽出液を含有する酸性液Ｌ１を消臭剤として使用することを特徴とする消臭方法。【選択図】  図１
2005074052.tif 000002
【特許請求の範囲】
【請求項１】
木材又は木製品をオートクレーブ内部に搬入し、０．５〜５．０気圧でかつ１００〜１５０℃の高温高圧水蒸気で該オートクレーブ内部を満たし湿熱処理した際に前記木材又は木製品から排出される木材抽出液を含有する酸性液を消臭剤として使用することを特徴とする消臭方法。
【請求項２】
前記酸性液は、ｐＨが１．５〜５．５、酢酸濃度が０．０１〜７．０重量％、固形分含量が０．１〜３．０重量％、水分含量が９０〜９９．９重量％であることを特徴とする、請求項１に記載の消臭方法。
【請求項３】
前記酸性液は、前記木材又は木製品から排出される木材抽出液及び該木材又は木製品や前記オートクレーブの内壁より滴下する余剰水からなり、前記木材又は木製品が搭載される台に設けられている受け皿によって採取されたものであることを特徴とする、請求項１又は２に記載の消臭方法。
【請求項４】
木材又は木製品をオートクレーブ内部に搬入し、０．５〜５．０気圧でかつ１００〜１５０℃の高温高圧水蒸気で該オートクレーブ内部を満たし湿熱処理した際に前記木材又は木製品から排出される木材抽出液を含有する酸性液を消臭剤として採取することを特徴とする消臭剤の製造方法。
【請求項５】
前記木材又は木製品と共に該木材又は木製品が搭載される受け皿を備えた台をオートクレーブ内部に搬入し、前記木材又は木製品から排出される木材抽出液及び該木材又は木製品や前記オートクレーブの内壁より滴下する余剰水からなる酸性液を消臭剤として前記受け皿によって採取することを特徴とする、請求項４に記載の消臭剤の製造方法。
【発明の詳細な説明】
【技術分野】
【０００１】
本発明は、木材又は木製品のオートクレーブによる湿熱処理で発生する木材抽出液を用いた消臭方法、並びにそれに用いる消臭剤の製造方法に関する。
【背景技術】
【０００２】
従来から、家庭等から排出される生ごみや家畜等の糞尿に起因したアンモニア臭等の悪臭を除去するための方法として、各種の消臭方法が提案されている。中でも、環境に対する影響がなくかつ低コストの天然物由来の消臭剤として、木炭製造過程の排出煙を回収して得られる木酢液を利用したものが知られており、例えば特開２００２−１９１６８３号公報には木炭と木酢液との混合物からなる消臭剤が記載されている。
【特許文献１】特開２００２−１９１６８３号公報
【発明の開示】
【発明が解決しようとする課題】
【０００３】
しかしながら、木酢液を利用して消臭剤として使用できるものを得るには精製工程や希釈工程を経なければならず、その製造が簡便でなかったため、従来の木酢液を利用した消臭方法は必ずしも十分なものではなかった。
【０００４】
本発明は、上記従来技術の有する課題に鑑みてなされたものであり、木酢液と同様に消臭効果を有し、かつ環境に悪影響を与える成分の少ない木酢液類似物を、従来の木酢液を利用した消臭剤に比べて簡便な方法で得ること、並びにそのような木酢液類似物を消臭剤として用いた消臭方法を提供することを目的とする。
【課題を解決するための手段】
【０００５】
本発明者らは、上記目的を達成すべく鋭意研究を重ねた結果、本件出願人により先に出願され既に公開されている特開２００３−１８１８０４号公報に記載の木材又は木製品の湿熱処理方法においてオートクレーブから排出される木材抽出液を含有する酸性液は木酢液と同様に消臭効果を有しており、かつ環境に悪影響を与える成分が少なく、しかも従来の木酢液を利用した消臭剤に比べて簡便な方法で得られることを見出し、本発明を完成するに至った。
【０００６】
すなわち、本発明の消臭方法は、木材又は木製品をオートクレーブ内部に搬入し、０．５〜５．０気圧でかつ１００〜１５０℃の高温高圧水蒸気で該オートクレーブ内部を満たし湿熱処理した際に前記木材又は木製品から排出される木材抽出液を含有する酸性液を消臭剤として使用することを特徴とする方法である。
【０００７】
上記本発明の消臭方法において、前記酸性液は、前記木材又は木製品から排出される木材抽出液及び該木材又は木製品や前記オートクレーブの内壁より滴下する余剰水からなり、前記木材又は木製品が搭載される台に設けられている受け皿によって採取されたものであることが好ましい。
【０００８】
また、本発明の消臭剤の製造方法は、木材又は木製品をオートクレーブ内部に搬入し、０．５〜５．０気圧でかつ１００〜１５０℃の高温高圧水蒸気で該オートクレーブ内部を満たし湿熱処理した際に前記木材又は木製品から排出される木材抽出液を含有する酸性液を消臭剤として採取することを特徴とする方法である。
【０００９】
上記本発明の消臭剤の製造方法において、前記木材又は木製品と共に該木材又は木製品が搭載される受け皿を備えた台をオートクレーブ内部に搬入し、前記木材又は木製品から排出される木材抽出液及び該木材又は木製品やオートクレーブの内壁より滴下する余剰水からなる酸性液を消臭剤として前記受け皿によって採取することが好ましい。
【００１０】
また、上記本発明の消臭方法並びに消臭剤の製造方法において、前記酸性液は、ｐＨが１．５〜５．５、酢酸濃度が０．０１〜７．０重量％、固形分含量が０．１〜３．０重量％、水分含量が９０〜９９．９重量％のものであることが好ましい。
【００１１】
なお、本発明の消臭方法により生ごみ等に起因した悪臭が効率良く除去される具体的な理由は定かではないが、本発明者らは以下のように推察する。すなわち、本発明にかかる消臭剤中の酢酸等の酸性成分によってアンモニア等のアルカリ性臭気成分が十分に中和されると共に種々の固形分によって臭気成分が十分にマスキングされ、それらの相乗効果によって十分な消臭効果が達成されると本発明者らは推察する。
【発明の効果】
【００１２】
本発明の消臭剤の製造方法によれば、木材や木製品の乾燥や滅菌を目的としたオートクレーブでの湿熱処理時に環境に悪影響を与える成分の少ない木酢液類似の消臭剤を従来の木酢液を利用した消臭剤に比べて簡便に得ることが可能となる。また、本発明の消臭方法によれば、このような木酢液類似の天然物由来の消臭剤により生ごみ等に起因した悪臭を確実に除去することが可能となる。
【発明を実施するための最良の形態】
【００１３】
先ず、本発明の消臭方法に使用する消臭剤並びにその製造方法について説明する。本発明の消臭方法に使用する消臭剤は、木材又は木製品を台車等によりオートクレーブ内部に搬入し、０．５〜５．０気圧でかつ１００〜１５０℃の高温高圧水蒸気で該オートクレーブ内部を満たし湿熱処理した際に前記木材又は木製品から排出される木材抽出液を含有する酸性液である。なお、このような湿熱処理は木材又は木製品の乾燥或いは滅菌を目的として行われる処理である。そして、本発明の消臭剤の製造方法は、上記湿熱処理過程で発生する前記の木材抽出液を含有する酸性液を消臭剤として採取することを特徴とする方法である。
【００１４】
ここで、本発明にかかる木材とは、木製品の原材を含み、さらに角材、板材等の加工木材をも包含する概念である。また、本発明にかかる木製品とは、前記木材により製造された製品全般を意味し、木製梱包材（木箱、パレット、木枠、支柱等）、建築用規格材、家具類等を包含する概念である。
【００１５】
また、本発明にかかるオートクレーブとしては、前記木材又は木製品を内部に保持して所定の高温高圧水蒸気に晒すことができ、しかもその際に前記木材又は木製品から排出される木材抽出液を含有する酸性液を採取することができるものであればよいが、大量に採取する場合はコンクリート二次製品工場で使用されている大型のオートクレーブがよい。例えば、特開２００３−１８１８０４号公報に記載のオートクレーブ（湿熱処理装置）は好ましい。図１は、本発明に好適なオートクレーブの一例を示す模式断面図である。図１に示すオートクレーブ１は、コンクリート二次製品であるコンクリートパイル、セメント系ボード等を養生することが可能な円柱形のオートクレーブ本体（圧力釜）２を備えており、その一端又は両端には出入口となる扉３が設けられている。また、オートクレーブ本体２には内部圧力を検出する圧力センサ４と内部温度を検出する温度センサ５とが設置されており、これらからの検出信号は制御装置６に伝達される。そして、制御装置６は、真空ポンプ（図示せず）に接続されている吸排気装置７とボイラ（図示せず）に接続されている高圧蒸気注入装置８とを制御してオートクレーブ本体２内の圧力及び温度を制御する。
【００１６】
消臭剤を採取する原料となる木材又は木製品（図示されているのは輸出用梱包材に使用する木材）９は滅菌処理のため台車１０に搭載されてオートクレーブ本体２内に搬入される。そして、台車１０と木材９との間には受け皿１１が設けられており、木材９から排出される木材抽出液を含有する酸性液Ｌ１が受け皿１１により採取され、酸性液排出弁１２を有する酸性液排出管１３を介して酸性液貯留槽１４に導かれる。また、オートクレーブ本体２内で水蒸気が結露した余剰水の一部は木材抽出液と共に受け皿１１により採取されるが、残りの大半の余剰水Ｌ２は余剰水排出弁１５を有する余剰水排出管１６を介してオートクレーブ本体２外に排出される。なお、この余剰水Ｌ２も含有成分によっては消臭剤の一部として再利用することも可能である。
【００１７】
以上の構成からなるオートクレーブ１の内部に木材９を搬入した後、０．５〜５．０気圧（より好ましくは１．０５〜２．５気圧）でかつ１００〜１５０℃（より好ましくは飽和水蒸気となる温度）の高温高圧水蒸気でオートクレーブ本体２の内部を満たす。それによって木材９から木材抽出液が排出され、木材９や台車やオートクレーブ内壁等から滴下する余剰水の一部と共に酸性液Ｌ１として受け皿１１により採取され、本発明にかかる消臭剤が得られる。なお、前記圧力が上記下限未満では木材の分解が進まず消臭性態が低下する傾向にあり、他方、上記上限を超えると有害物質を含む不純物が増加する傾向にある。また、前記温度が上記下限未満では木材の分解が進まず消臭性態が低下する傾向にあり、他方、上記上限を超えると有害物質を含む不純物が増加する傾向にある。オートクレーブ本体２の内部を前記条件に維持する時間は特に制限されないが、一般的には２〜２０時間程度が好ましい。
【００１８】
また、前記酸性液Ｌ１を採取する期間も特に制限されず、湿熱処理が完了してから、或いは湿熱処理の途中に一回又は複数回であってもよいが、採取される酸性液Ｌ１が下記の諸条件：
ｐＨが１．５〜５．５、より好ましくは３．５〜５．０；
酢酸濃度が０．０１〜７．０重量％、より好ましくは０．０１〜１．０重量％；
固形分含量が０．１〜３．０重量％、より好ましくは０．１〜１．０重量％；
水分含量が９０〜９９．９重量％、より好ましくは９８〜９９．９重量％；
を満たすように採取することが好ましい。前記ｐＨが上記下限未満では使用時に希釈が必要となる傾向にあり、他方、上記上限を超えるとアンモニア等のアルカリ性臭気成分を中和して十分に消臭することが困難となる傾向にある。また、前記酢酸濃度が上記下限未満ではアンモニア等のアルカリ性臭気成分を中和して十分に消臭することが困難となる傾向にあり、他方、上記上限を超えると使用時に希釈が必要となる傾向にある。さらに、前記固形分含量が上記下限未満では臭気成分をマスキングして十分に消臭することが困難となる傾向にあり、他方、上記上限を超えるとハンドリング性が低下する傾向にある。なお、採取された酸性液Ｌ１が上記の諸条件を満たすものより濃い場合は採取された酸性液Ｌ１を水により希釈して用いてもよく、逆に薄い場合は採取された酸性液Ｌ１を濃縮して用いてもよい。
【００１９】
なお、木材９から排出される木材抽出液は、木材中に含有されている水分及び酢酸以外に、使用する木材に応じてリグニン酸、プロピオン酸、メタノール、マントール、精油等が一般的に含まれるものである。
【００２０】
次に、本発明の消臭方法について説明する。本発明の消臭方法は前述の木材抽出液を含有する酸性液を消臭剤として使用することを特徴とするものであり、その具体的な使用方法は特に制限されず、被処理物に応じて適宜選択される。例えば、本発明にかかる消臭剤を被処理物に散布する方法、消臭剤を被処理物に混合する方法、消臭剤を被処理物の近傍に配置する方法等が好適に採用される。また、本発明にかかる消臭剤を液体のまま使用してもよいが、スプレー等を用いて霧状にして用いてもよく、また、多孔質担体等に担持（含浸）せしめて用いてもよい。
【００２１】
本発明の消臭方法における消臭剤の使用量は特に制限されず、被処理物に応じて適宜選択される。また、本発明の消臭方法を適用することが可能な被処理物も特に制限されず、家庭等から排出される生ごみ、家畜等の糞尿、汚泥、コンポスト等に本発明の消臭方法は有効である。
【００２２】
以下、実施例に基づいて本発明をより具体的に説明するが、本発明は以下の実施例に限定されるものではない。
【実施例１】
【００２３】
図１に示すオートクレーブ（直径４ｍ、長さ２５ｍ、三井造船社製）の内部にラジアタパイン材からなる輸出用梱包材に使用する木材４５ｍ３を搬入した後、オートクレーブ内を１時間かけて１．０７気圧、１１５℃の高温高圧水蒸気雰囲気とし、その状態で５．５時間保持し、更に０．５時間かけて大気圧、室温に戻した。その際、木材を搭載した台に設けられている受け皿から約１２００リットルの酸性液（木材抽出液と木材等から滴下した余剰水とからなる酸性液）が本発明にかかる消臭剤として採取された。得られた酸性液（消臭剤）の組成は以下の通りであった。
【００２４】
(酸性液(消臭剤)の組成)
ｐＨ：４．８５、
酢酸濃度：０．０２重量％、
固形分含量：０．９重量％、
水分含量：９９．１重量％。
【００２５】
次に、容量３リットルのビーカーに半腐敗家庭排出ごみ（生ごみ及び紙類を含む可燃ごみ）３００ｇ（約１リットル）を入れ、ビーカーを樹脂フィルムにより封止した。そして、３０分静置した後にビーカー内のアンモニア濃度（原臭濃度）をアンモニア用ガス検知管（ガステック社製、３Ｌａ又は３Ｍ）により測定したところ、１００ｐｐｍであった。
【００２６】
続いて、上記のビーカーから樹脂フィルムを外し、前記の酸性液（消臭剤）２５ｍｌ（ごみの表面積１ｍ２当り７５０ｍｌに相当する）をごみの表面に散布し、再び樹脂フィルムにより封止した。そして、３０分静置後、３時間静置後、及び６時間静置後のビーカー内のアンモニア濃度をアンモニア用ガス検知管により測定したところ、３０分静置後は７ｐｐｍ、３時間静置後は１０ｐｐｍ、６時間静置後は５ｐｐｍであった。
【００２７】
前記実施例の結果から明らかな通り、本発明の製造方法により得られた消臭剤を用いた本発明の消臭方法によれば、家庭から排出される生ごみに起因したアンモニア臭が十分に除去されることが確認された。
【産業上の利用可能性】
【００２８】
本発明によれば、木材や木製品の乾燥や滅菌を目的としたオートクレーブでの湿熱処理時に製造可能で、従来の木酢液を利用した消臭剤より簡便に得られる木酢液類似の天然物由来の消臭剤により生ごみ等に起因した悪臭を確実に除去することが可能となる。したがって、本発明の消臭方法は、家庭等から排出される生ごみ、家畜等の糞尿、等に起因したアンモニア臭等の悪臭を除去するために非常に有効である。
【図面の簡単な説明】
【００２９】
【図１】本発明に好適なオートクレーブの一例を示す模式断面図である。
【符号の説明】
【００３０】
１…オートクレーブ、２…オートクレーブ本体、３…扉、４…圧力センサ、５…温度センサ、６…制御装置、７…吸排気装置、８…高圧蒸気注入装置、９…木材又は木製品、１０…台車、１１…受け皿、１２…酸性液排出弁、１３…酸性液排出管、１４…酸性液貯留槽、１５…余剰水排出弁、１６…余剰水排出管、Ｌ１…木材抽出液を含有する酸性液、Ｌ２…余剰水。
【図１】
2005074052.tif 000003